(57)【要約】【課題】  各種の収納物を収納する容器であって、発光機能を備えた合成樹脂製容器を提供する。【解決手段】  有底状容器本体の少なくとも底部内側に、外部からの間欠的あるいは連続的な衝撃や圧力で変形する圧電素子を配設すると共に、その圧電素子を電気エネルギー源として作動する発光素子を装着したことを特徴とする発光機能を備えた合成樹脂製容器。【選択図】  図1
2005153962.tif 000002
【特許請求の範囲】
【請求項１】
有底状容器本体の少なくとも底部内側に、外部からの間欠的あるいは連続的な衝撃や圧力で変形する圧電素子を配設すると共に、その圧電素子を電気エネルギー源として作動する発光素子を装着したことを特徴とする発光機能を備えた合成樹脂製容器。
【請求項２】
有底状容器本体の少なくとも底部内側に、外部からの間欠的あるいは連続的な衝撃や圧力で変形する圧電素子を配設すると共に、圧電素子を電気エネルギー源として作動する発光素子および計数カウンターを装着したことを特徴とする発光機能を備えた合成樹脂製容器。
【発明の詳細な説明】
【技術分野】
【０００１】
本発明は、各種の収納物を収納する容器であって、発光機能を備えた合成樹脂製容器、詳しくは、外部からの間欠的あるいは連続的な衝撃や圧力で発光素子が発光する発光機能を備えた合成樹脂製容器に関する。
【背景技術】
【０００２】
従来、点滅発光する機能を有する容器として、例えば電飾発光するＣＤ用の収納ケースや、緊急用品等の収納容器が提供され、前者は、ＣＤ用収納ケースの容体に組み合わされている受け皿との開閉軸部寄りの空間にＬＥＤ素子及び回路部、スイッチ機構、電池等から成る電飾発光装置を収めてＣＤ用収納ケースを構成することで、ＣＤ用収納ケースを持つた際に、振動センサーもしくはタッチサンサー等により美しく電飾発光することでイメージや雰囲気を演出したり、発光色を変えることで収録内容のジャンルの区別を認識できるようになっている（特許文献１参照）。
【０００３】
また、後者は、蓋を閉じた容器本体とその蓋の合せ目を封止するためのクリップ部材を、無色又は有色透明の合成樹脂材に蓄光顔料を混練した材料によって形成し、そのクリップ部材を容器本体又は蓋体に連結して取付けて緊急用品等の収納容器を構成することで、適宜の形状，大きさで、開閉自在な蓋を具備した箱状容器であって、照明光の全くない真暗闇の中でも、クリップ部材が発光することでその在り場所が一目して判るようになっている（特許文献２参照）。
【０００４】
【特許文献１】特開２００３−１２０８１号公報
【特許文献２】特開平９−３２３７４８号公報
【発明の開示】
【発明が解決しようとする課題】
【０００５】
これらケースや包装体あるいは収納容器は、収納物の関係において発光するようにしたものであって、前者は、ＣＤケースを持ったり触れたりした時に、美しく電飾発光することでイメージや雰囲気を演出したり、また収録されている内容により発光色を変えることで、収録内容のジャンルの区別を認識できるＣＤ用収納ケースであり、ＣＤ用収納ケースの容体に組み合わされている受け皿との開閉軸部寄りの空間にＬＥＤ素子及び回路部、スイッチ機構、電池等から成る電飾発光装置を収めて構成することで、ケースを持った際に、振動センサーもしくはタッチサンサー等により、美しく電飾発光するＣＤ用収納ケースである。
また、後者は、照明光の全くない真暗闇の中でも、その在り場所が一目して判るようにした緊急用品等の収納容器であり、蓋を閉じた容器本体とその蓋の合せ目を封止するためのクリップ部材を、無色又は有色透明の合成樹脂材に蓄光顔料を混練した材料によって形成し、そのクリップ部材を容器本体又は蓋体に連結して取付けて構成することで、照明光のない場所でクリップ部材が発光するようにした緊急用品等の収納容器である。
【０００６】
このようにこれらは、イメージや雰囲気を高め、インテリア性と意外性を奏するものであり、あるいは、停電時などの暗闇の中で容易に探し出すことのできるものであり、容器を構成している蓋体や容器本体の動作や作用によって発光させるものであって、ケースや包装体あるいは収納容器に収納する収納物の動作や作用によって発光するものではない。
本発明は、収納する収納物を容器本体に作用させることにより発光体を発光させることで、機能性を備えたり、関心度を高めたり、娯楽性や遊技性を増したりするものである。
【課題を解決するための手段】
【０００７】
上記問題点を解決するために請求項１に記載の発明は、有底状容器本体の少なくとも底部内側に、外部からの間欠的あるいは連続的な衝撃や圧力で変形する圧電素子を配設すると共に、その圧電素子を電気エネルギー源として作動する発光素子を装着したことを特徴としている。
また、請求項２に記載の発明は、上記発光素子および計数カウンターを装着したことを特徴としている。
【発明の効果】
【０００８】
本発明は、合成樹脂製容器であって、有底状容器本体の少なくとも底部内側に外部からの間欠的あるいは連続的な衝撃や圧力で変形する圧電素子を配設し、その圧電素子を電気エネルギー源として作動する発光素子を装着したので、収納品の管理・保管に対する機能性を向上させ、また球体などを通じて数値や動作に対する関心度を高めさせ、あるいは球技に対する娯楽性や遊技性を増加させるものである。
【０００９】
請求項１の発明によれば、圧電素子を歪み発生手段で歪ませることにより発生する交流電圧をそのまま、又は整流回路とコンデンサとで直流電圧に変換し、変換した直流電圧で発光素子を発光させるので、容器本来の機能に加えて視覚機能を付与できると共に、電池等の電源を必要としないので環境に優しい収納容器を実現できる。
請求項２の発明によれば、圧電素子を歪み発生手段で歪ませることにより発生する電圧で発光素子を発光させるに加えて、圧電素子に衝撃や圧力を与えた収納物の数をカウントさせるので、容器本来の機能に加えて視覚機能および数値的機能を付与できると共に、好適な作業管理や遊技管理の現出などができるものである。
【００１０】
特に、発光能を有する治具用収納容器にあっては、ボルト、ナット、ネジ、ビスやベアリング用ボールの治具が連続的に製造・成形されている様子が、容易に把握することができるものである。
また、発光能を有する容器状玩具にあっては、電池等の電源を必要としないので遊びたい時に何時でも、場所を選定することなく遊びに興ずることができるものである。
さらにまた、発光能を有する遊技用玉収納容器にあっては、遊技場において保守・点検を必要とすることなく、遊技者に遊技を楽しんでもらうことができるものである。
【発明を実施するための最良の形態】
【００１１】
以下、本発明の圧電式発光機能を備えた合成樹脂製容器の実施形態を図面に基づいて具体的に説明する。
図１は、本発明の圧電式発光機能を備えた合成樹脂製容器を具現化した発光能を有する治具用収納容器の実施例である。
ボルト、ナット、ネジ、ビスやベアリング用ボールなどの各種治具１０を収納する治具用収納容器は、容器本体１の底板内面には発光素子３を発光させる電力を発生する圧電素子２、容器本体１端縁の把手部には圧電素子２により発光する発光素子３、側板外面には圧電素子２が発生した電力を整流する整流回路４と、平滑用のコンデンサ５などを実装した基板６が配置してある。なお、圧電素子２は容器本体１の側板内面の全域あるいは一部に、底板内面と同様に配置してあってもよい。また、整流回路４は全波整流することが好ましい。
圧電素子は、圧電セラミックスの両面に金属板（電極）が固着されているもので、一方の金属板は適宜手段で容器本体の少なくとも底板、必要に応じて側板に固定（埋設）されている。この金属板は弾性を有し、加えられた応力で変形して圧電素子に歪みを発生させ、応力が解除されれば元の状態に復元するようになっているもので、変形時と復元時に圧電素子が歪むことにより電圧が発生するようになっている。
ここで、圧電素子は、加えられた応力で変形して圧電素子に歪みを発生、応力が解除されるとこの変形が元の状態に復元、この変形時と復元時に圧電素子が歪むことで電圧が発生するようになっており、或る歪み量で電圧が発生するものであるので、特に感度を調整することなどは必要ないものである。
発光素子は、通常、発光ダイオード（ＬＥＤ）で構成され、この発光素子は容器本体の縁部に装着され、衝撃体・圧力体が容器本体の内面に貼り付けられ圧電素子に歪みを与えると発光素子が発光するようになっている。
【００１２】
この発光能を有する治具用収納容器によれば、治具用収納容器をボルト、ナット、ネジ、ビスやベアリング用ボールなどの治具１０を連続的に製造・成形する加工機器の真下に設置し、これらのボルト等の治具１０が加工機器より製造・成形されて治具用収納容器に落下して、これが容器本体の内面の圧電素子２の表面に当たると、ボルト等の治具１０の落下による衝撃により圧電素子２の表面が衝撃を受ける度に圧電素子２が歪み電圧が誘起され、この歪み電圧で発光素子３を点灯させるようにしたものである。誘起された電圧は交流であるが整流回路４とコンデンサ５とで直流に変換され発光素子３を発光させることができる。
これらによって、この治具用収納容器にあっては、ボルト、ナット、ネジ、ビスやベアリング用ボールの治具が連続的に製造・成形されている様子が、容易に把握することができるとともに、製造・成形された治具は治具用収納容器に収納されるものである。
なお、治具が治具用収納容器の底板内面全面を覆い、さらにその治具の上方に積載された場合、次に落下する治具はすでに落下した治具を介して底板あるいは側板に配置してある圧電素子に衝撃を与え圧電素子に歪み電圧を誘起させて、この歪み電圧で発光素子を点灯させるようになる。
この整流回路４と、平滑用のコンデンサ５などが無くとも発光素子３を点灯させることも可能である。
同時に、電子式の計数カウンターを装着しておくことで、治具用収納容器に収納されたボルト等の治具の製造・成形数が計数カウンターで累計を出すことができる。なお、この数値は概数であり、製造・成形後に製造・成形の場所に設置されている計数カウンターあるいは重量計によって正確な数値が把握される。
この発光能を有する治具用収納容器は、ボルト、ナット、ネジ、ビスやベアリング用ボールの治具１０が連続的に製造・成形されている様子が、製造・成形の現場あるいは製造・成形を管理している管理室において発光素子３の発光を通して把握することができる。
図２は、本発明の回路の実施例で、外部からの間欠的あるいは連続的な衝撃や圧力で変形して電力を発生する圧電素子２、圧電素子２が外部からの間欠的あるいは連続的な衝撃や圧力で変形・振動することにより発生する交流電力は整流回路４にて全波整流され、コンデンサ５にて平滑されて、発光ダイオード３は電力を供給され発光する。
基板６上の回路は、圧電素子２が外部からの間欠的あるいは連続的な衝撃や圧力で変形・振動で交流電力を発生させ、この交流電力は整流回路４にて全波整流され、介在するコンデンサ５にて平滑されて、発光ダイオード３に供給されて発光ダイオード３を発光させるものである。
【００１３】
図３は、本発明の圧電式発光機能を備えた合成樹脂製容器を具現化した発光能を有する容器状玩具である。
発光能を有する容器状玩具は、縦型で前面開口状の容器本体１が上方側板１１、両側側板１２、１２、底板１３と下方側板１４で形成され、下方側板１４に上方に開口した有底状の小容器１５が連設した態様をしている。この底板１３内面には発光素子３を発光させる電力を発生する圧電素子２、小容器１５の前方側板の外面には圧電素子２により発光する発光素子３、その上方には圧電素子２が発生した電力を整流する整流回路４と平滑用のコンデンサ５などを実装した基板６が配置してある。なお、整流回路４は全波整流することが好ましい。
圧電素子は、圧電セラミックスの両面に金属板（電極）が固着されているもので、一方の金属板は適宜手段で容器本体の底板に固定（埋設）されている。この金属板は弾性を有し、加えられた応力で変形して圧電素子に歪みを発生させ、応力が解除されれば元の状態に復元するようになっているもので、変形時と復元時に圧電素子が歪むことにより電圧が発生するようになっている。
ここで、圧電素子は、加えられた応力で変形して圧電素子に歪みを発生、応力が解除されるとこの変形が元の状態に復元、この変形時と復元時に圧電素子が歪むことで電圧が発生するようになっており、或る歪み量で電圧が発生するものであるので、特に感度を調整することなどは必要ないものである。
発光素子は、通常、発光ダイオード（ＬＥＤ）で構成され、この発光素子は小容器の外面に装着され、衝撃体・圧力体が奥板の内面に貼り付けられ圧電素子に歪みを与えると発光素子が発光するようになっている。
この発光能を有する容器状玩具によれば、扱い者（幼児や子供）が手に持ったプラスチック製、ゴム製や木製のボールなど（図示せず）を容器本体の底板１３の数値あるいは絵柄（図示せず）が描かれた圧電素子２に向かって投げ、投げたボールなどが数値あるいは絵柄を通して圧電素子２の表面に当たると、圧電素子３の表面が、その衝撃を受ける度に歪んで電圧が誘起され、この歪み電圧で発光素子３を点灯させるようにしたものである。誘起された電圧は交流であるが整流回路４とコンデンサ５とで直流に変換され発光素子３を発光させることができる。
これらによって、この容器状玩具にあっては、投げたボールが目的の個所に当たる様子がビジュアルに表現されボール投げを通して数字や絵柄に対して興味を持つとともに、電池等の電源を必要としないので遊びたい時に何時でも、場所を選定することなく遊びに興ずることができる。しかも、投げたボールは上方に開口した有底状の小容器内に収納されることで、その回収なども容易に行われるものである。
この整流回路４と、平滑用のコンデンサ５などが無くとも発光素子３を点灯させることも可能である。
同時に、電子式の計数カウンターを装着しておくことで、投げたボールなどが圧電素子の表面に当たった回数の合計や点数の合計が計数カウンターでカウントすることができる。  
この発光能を有する容器状玩具は、電池等の電源を必要としないので遊びたい時に何時でも、しかも室内や屋外など場所が限定されずに何処ででも標的遊びをすることができる。
なお、回路は、前記図２の実施例で示したように、外部からの間欠的あるいは連続的な衝撃や圧力で変形して電力を発生する圧電素子２、圧電素子２が外部からの間欠的あるいは連続的な衝撃や圧力で変形・振動することにより発生する交流電力は整流回路４にて全波整流され、コンデンサ５にて平滑されて、発光ダイオード３は電力を供給され発光するようにしたものである。
【００１４】
図４は、本発明の圧電式発光機能を備えた合成樹脂製容器を具現化した発光能を有する遊技用玉収納容器である。
発光能を有する遊技用玉収納容器は、容器本体１の底板内面には発光素子３を発光させる電力を発生する圧電素子２、容器本体１端縁の把手部には圧電素子２により発光する発光素子３、側板外面には圧電素子２が発生した電力を整流する整流回路４と、平滑用のコンデンサ５などを実装した基板６が配置してある。なお、圧電素子２は容器本体１の側板内面の全域あるいは一部に、底板内面と同様に配置してあってもよい。また、整流回路４は全波整流することが好ましい。
圧電素子は、圧電セラミックスの両面に金属板（電極）が固着されているもので、一方の金属板は適宜手段で容器本体の少なくとも底板、必要に応じて側板に固定（埋設）されている。この金属板は弾性を有し、加えられた応力で変形して圧電素子に歪みを発生させ、応力が解除されれば元の状態に復元するようになっているもので、変形時と復元時に圧電素子が歪むことにより電圧が発生するようになっている。
ここで、圧電素子は、加えられた応力で変形して圧電素子に歪みを発生、応力が解除されるとこの変形が元の状態に復元、この変形時と復元時に圧電素子が歪むことで電圧が発生するようになっており、或る歪み量で電圧が発生するものであるので、特に感度を調整することなどは必要ないものである。
発光素子は、通常、発光ダイオード（ＬＥＤ）で構成され、この発光素子は容器本体の縁部に装着され、衝撃体・圧力体が容器本体の内面に貼り付けられ圧電素子に歪みを与えると発光素子が発光するようになっている
【００１５】
この発光能を有する遊技用玉収納容器によれば、遊技者が獲得した景品球１００を遊技台の景品球受け皿に確保した後、景品球１００が適宜の量になると遊技台の景品球受け皿より遊技台の下方に配した遊技用玉収納容器に移し替える場合、遊技用玉収納容器を景品球受け皿の下方に設置されている棚に載置し、景品球受け皿の底部に設けられているスライドプレートを操作して、景品球受け皿の底部に形成されている排出口を開放することにより、景品球１００が遊技用玉収納容器内に自重落下させた際、景品球１００が容器本体１の内面の圧電素子２の表面に当たると、景品球１００の落下による衝撃により圧電素子２の表面が衝撃を受ける度に圧電素子２が歪み電圧が誘起され、この歪み電圧で発光素子３を点灯させるようにしたものである。誘起された電圧は交流であるが整流回路４とコンデンサ５とで直流に変換され発光素子３を発光させることができる。
これらによって、この遊技用玉収納容器にあっては、遊技者が、遊技用景品球が連続的に遊技用玉収納容器に落下する様子が見た目も楽しく把握することができるとともに、遊技を楽しんでもらうことができ、しかも遊技用景品球は確実に遊技用玉収納容器に収納されるものである。
なお、景品球が遊技用玉収納容器の底板内面全面を覆い、さらにその景品球の上方に積載された場合、次に落下する景品球はすでに落下した景品球を介して底板あるいは側板にに配置してある圧電素子に衝撃を与え圧電素子に歪み電圧を誘起させて、この歪み電圧で発光素子を点灯させるようになる。
この整流回路４と、平滑用のコンデンサ５などが無くとも発光素子３を点灯させることも可能である。
同時に、電子式の計数カウンターを装着しておくことで、遊技用玉収納容器に収納された遊技用景品球の数値が計数カウンターで累計を出すことができる。なお、この数値は概数であり遊技場に設置されている計数カウンターによって正確な数値が把握される。
この発光能を有する遊技用玉収納容器は、電池等の電源を必要としないので特に、遊技場においては保守・点検を必要とすることなく、しかも感電等の心配もなく遊技者は遊技を楽しんでもらうことができる。
なお、回路は、前記図２の実施例で示したように、外部からの間欠的あるいは連続的な衝撃や圧力で変形して電力を発生する圧電素子２、圧電素子２が外部からの間欠的あるいは連続的な衝撃や圧力で変形・振動することにより発生する交流電力は整流回路４にて全波整流され、コンデンサ５にて平滑されて、発光ダイオード３は電力を供給され発光するようにしたものである。
【図面の簡単な説明】
【００１６】
【図１】本発明の合成樹脂製容器を具現化した発光能を有する治具用収納容器の概略図
【図２】本発明で使用する基板の回路概略図
【図３】本発明の合成樹脂製容器を具現化した発光能を有する容器状玩具の概略図
【図４】本発明の合成樹脂製容器を具現化した発光能を有する遊技用玉収納容器の概略図
【符号の説明】
【００１７】
１…容器本体  ２…圧電素子  ３…発光素子  ４…整流回路  ５…コンデンサ  ６…基板
１０…冶具  １００…景品球
【図１】
2005153962.tif 000003
【図２】
2005153962.tif 000004
【図３】
2005153962.tif 000005
【図４】
2005153962.tif 000006